(57)【要約】【課題】骨を収容した容器を安置して供養行為の対象とできると共に花の管理の手間を軽減できる仏棚を提供する。【解決手段】仏棚１は、骨を収容した容器Ｃを載置可能な台座１０と、台座１０の後方側に載置され花を収納した箱体２０と、を備え、箱体２０は、内部に脱酸素剤が投入されると共に、不活性ガスが封入されている。箱体２０は写真を収納していてもよい。さらに、仏棚１は、透明樹脂からなる立体物の表面又は内部に彫刻された彫刻仏具３１を備え、彫刻仏具３１は、背面が黒色系塗料で着色され、又は背面に黒色系部材が設けられている。【選択図】図１
0003212116.tif 000002
【実用新案登録請求の範囲】
【請求項１】
骨を収容した容器を載置可能な台座と、
前記台座の後方側に載置され花を収納した箱体と、を備え、
前記箱体は、内部に脱酸素剤が投入されると共に、不活性ガスが封入されている
ことを特徴とする仏棚。
【請求項２】
前記箱体は、写真を収納している
ことを特徴とする請求項１に記載の仏棚。
【請求項３】
透明樹脂からなる立体物の表面又は内部に彫刻された彫刻仏具をさらに備え、
前記彫刻仏具は、背面が透明以外の塗料で着色され、又は背面に透明以外の部材が設けられている
ことを特徴とする請求項１又は請求項２のいずれかに記載の仏棚。
【請求項４】
前記台座は、上面に前記容器を載置可能であると共に、その下部が、前記容器及び前記彫刻仏具を収納する引き出しとなっている
ことを特徴とする請求項３に記載の仏棚。
【請求項５】
前記台座は、前記上面と前記引き出しとの間から、引き出し可能なスライド板をさらに有する
ことを特徴とする請求項４に記載の仏棚。
【請求項６】
前記台座は、箱状であって、その一面の大きさが前記箱体のいずれか１つの面の大きさと略一致する
ことを特徴とする請求項１から請求項５のいずれか１項に記載の仏棚。
【考案の詳細な説明】
【技術分野】
【０００１】
本考案は、人や動物の骨を収容する容器を安置するための仏棚に関する。
【背景技術】
【０００２】
近年、自己の死後に海等への散骨を望む者が増えてきている。その理由としては、親戚やお寺との付き合いの問題、長男以外が先祖の墓に入れないという宗教上の問題、都会でお墓を持つことの金銭的問題、及び墓守を子に頼めないなどの問題などが挙げられる。
【０００３】
しかし、散骨を行った場合、子や孫といった残された者にとっては、お墓のような拝む対象となるシンボルが無いことから、どのようにして供養を行うべきかが難しくなってしまう。
【０００４】
そこで、一般的な仏壇を用いることが考えられる（特許文献１参照）。
【先行技術文献】
【特許文献】
【０００５】
【特許文献１】特開２０１６−１３２５１号公報
【考案の概要】
【考案が解決しようとする課題】
【０００６】
しかし、仏壇は、基本的に仏像や仏像が描かれた掛軸などを祀るためのものであり、宗教にもよるが仏壇に骨壺（骨を収容した容器）を置くことは基本的に禁止されている。このため、仏壇を利用したとしても、骨を収容した容器の安置先の解決にはならず、結局散骨などが行われ、どのようにして供養を行うべきかが難しくなってしまう。
【０００７】
加えて、仏壇等には、花（仏花）が置かれることがあるが、仏花が枯れないように長期に亘って管理することは簡単ではなく、結局花が用いられないことも多い。
【０００８】
本考案はこのような従来の課題を解決するためになされたものであり、その目的とするところは、骨を収容した容器を安置して供養行為の対象とできると共に花の管理の手間を軽減できる仏棚を提供することにある。
【課題を解決するための手段】
【０００９】
本考案の仏棚は、骨を収容した容器を載置可能な台座と、前記台座の後方側に載置され花を収納した箱体と、を備え、前記箱体は、内部に脱酸素剤が投入されると共に、不活性ガスが封入されていることを特徴とする。
【００１０】
この仏棚によれば、台座と箱体とからなるため、基本的に仏壇とは異なるものを提供でき、宗教上の理由から骨を収容した容器を安置できないという問題が生じない。加えて、仏棚を提供することで供養行為の対象を明確化することができる。さらに、本件出願人は、花が酸化によって退色・劣化することを見出している。このため、花を収納した箱体が脱酸素剤及び不活性ガスを封入のうえ封止されていることにより、花を比較的長期に亘り劣化させずに管理の手間を軽減させることができる。以上より、骨を収容した容器を安置して供養行為の対象とできると共に花の管理の手間を軽減できる仏棚を提供することができる。
【００１１】
また、本考案の仏棚において、前記箱体は、写真を収納していることが好ましい。
【００１２】
この仏棚によれば、仏壇には基本的に遺影などの写真を置くことは無いが、箱体は写真を収納しているため、仏壇とはより違った供養行為の対象物としての仏棚を提供することができる。
【００１３】
また、本考案の仏棚において、透明樹脂からなる立体物の表面又は内部に彫刻された彫刻仏具をさらに備え、前記彫刻仏具は、背面が透明以外の塗料で着色され、又は背面に透明以外の部材が設けられていることが好ましい。
【００１４】
この仏棚によれば、透明樹脂からなる立体物の表面又は内部に彫刻された彫刻仏具は、背面が透明以外の塗料で着色され、又は背面に透明以外の部材が設けられているため、透明樹脂への彫刻という一見すると彫刻内容が見え難い仏具であっても、背面の透明以外の塗料や透明以外の部材によって彫刻内容を見え易くすることができる。
【００１５】
また、本考案の仏棚において、前記台座は、上面に前記容器を載置可能であると共に、その下部が、前記容器及び前記彫刻仏具を収納する引き出しとなっていることが好ましい。
【００１６】
この仏棚によれば、台座は、下部が容器及び彫刻仏具を収納する引き出しとなっているため、供養行為を行うときに容器と彫刻仏具とを取り出して、台座に載置するなどでき、収納性に優れた仏棚を提供することができる。
【００１７】
また、本考案の仏棚において、前記台座は、前記上面と前記引き出しとの間から、引き出し可能なスライド板をさらに有することが好ましい。
【００１８】
この仏棚によれば、上面と引き出しとの間から、引き出し可能なスライド板をさらに有するため、容器及び彫刻仏具以外の香炉、仏飯器、及び茶湯器などの仏具を載置したい場合に、スライド板上に載置することが可能となり、より一層供養行為の対象として適した仏棚を提供することができる。
【００１９】
また、本考案の仏棚において、前記台座は、箱状であって、その一面の大きさが前記箱体のいずれか１つの面の大きさと略一致することが好ましい。
【００２０】
この仏棚によれば、台座は、箱状であって、その一面の大きさが箱体のいずれか１つの面の大きさと略一致するため、大きさが一致する面同士を重ねて置くことではみ出しが少なく重ね置くことが可能となり、収納に適した構造とすることができる。
【考案の効果】
【００２１】
本考案によれば、骨を収容した容器を安置できると共に花の管理の手間を軽減でき、供養行為の対象とすることが可能な仏棚を提供することができる。
【図面の簡単な説明】
【００２２】
【図１】本考案の実施形態に係る仏棚の斜視図である。
【図２】図１に示した箱体の分解斜視図である。
【図３】彫刻仏具の一例を示す斜視図である。
【図４】図１に示した仏棚の収納形態を示す斜視図である。
【考案を実施するための形態】
【００２３】
以下、本考案を好適な実施形態に沿って説明する。なお、本考案は以下に示す実施形態に限られるものではなく、本考案の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００２４】
図１は、本考案の実施形態に係る仏棚の斜視図である。図１に示すように、本実施形態に係る仏棚１は、台座１０と、箱体２０と、複数の仏具３０とを備えている。
【００２５】
台座１０は、故人の骨を収容した容器Ｃ（いわゆる骨壺）を載置するためのものである。この台座１０は、略直方体の箱状となっており、その上面１０ａに容器Ｃを載置可能となっている。図１に示す例において故人は２人であるため、容器Ｃは２つ載置されている。容器Ｃは、骨を収容する金属製の第１容器と、第１容器を覆う透明樹脂製（クリスタル製）の第２容器とからなる。
【００２６】
さらに、台座１０は、引き出し１１を備えている。この引き出し１１は、台座１０の下部において手前方向に引き出すことが可能なものであって、その内部に容器Ｃ及び後述の彫刻仏具３１を含む複数の仏具３０を収納可能なものである。なお、引き出し１１には、内部空間を手前空間１１ａと奥側空間１１ｂとに隔てる中板Ｂが設けられている。このため、容器Ｃを空間１１ａ，１１ｂの一方に収納し、仏具３０を空間１１ａ，１１ｂの他方に収納して、区別した収納が可能となっている。特に、引き出し１１内には、分骨を収容した小さな容器Ｃに限らず、１体の粉骨をまるまる収めた容器Ｃが収納可能な大きさとなっており、墓自体を不要とすることができる。しかも、引き出し１１は、夫婦や家族など２体以上の粉骨をまるまる収納できる大きさであることが好ましい。
【００２７】
さらに、台座１０は、上面１０ａと引き出し１１との間から、引き出し可能なスライド板１２をさらに有している。このスライド板１２は、引き出し１１と同様に手前方向に引き出し可能に構成され、仏具３０を載置可能とされている。
【００２８】
箱体２０は、台座１０の後方側に載置されるものである。図２は、図１に示した箱体２０の分解斜視図である。図２に示すように、箱体２０は、概略的に、内ボックス２１と、意匠ボックス２２と、２枚の照明プレート２３とを備えて構成されている。
【００２９】
内ボックス２１は内部空間を有する箱型の部材であって、前面が透明性を有する樹脂材料２１ａにより構成されると共に、側面、及び背面が有色の樹脂材料により形成されている。
【００３０】
この内ボックス２１内には、花が収納されるようになっている。ここで、本件出願人は、花が酸化によって退色・劣化することを見出している。このため、内ボックス２１内には、脱酸素剤が投入されると共に、不活性ガス（例えばアルゴンガス）が封入される構造となっている。これにより、内ボックス２１内の花は、酸化による退色・劣化が防がれるようになっている。
【００３１】
さらに、内ボックス２１は、前面の樹脂材料２１ａがポリエチレンテレフタレートを主原料として構成されている。すなわち、アクリルのように酸素を透すことがない材料となっている。加えて、本件出願人は、花が紫外線によっても劣化することを見出している。よって、樹脂材料２１ａは、紫外線カットフィルムが貼り付けられるなど、紫外線カット加工されていることが好ましい。さらに、内ボックス２１には、故人の遺影や風景などの写真Ｐが収納されていてもよい。
【００３２】
意匠ボックス２２は、筒状ケース２２ａと、背面板２２ｂとを備えている。筒状ケース２２ａは、手前側及び背面側が解放された四角筒構造のケースである。背面板２２ｂは、この筒状ケース２２ａに対して背面側から所定の手段によって固定されるようになっている。また、背面板２２ｂを筒状ケース２２ａに取り付けるに先立って、上記内ボックス２１及び２枚の照明プレート２３が意匠ボックス２２に内装されるようになっている。
【００３３】
なお、意匠ボックス２２が木材により構成されている場合には、ニス材により表面保護と光沢向上とが図られていてもよい。また、美観の観点から、台座１０や箱体２０の他の構成についても、装飾性が高くニス材等が塗布されていてもよい。
【００３４】
２枚の照明プレート２３は、内ボックス２１と同様に意匠ボックス２２内に収納されるものであって、内ボックス２１の前面側に設置される。このうち、第１プレート２３ａは、意匠ボックス２２の上側の側壁に接して設けられ、第２プレート２３ｂは、意匠ボックス２２の下側の側壁に接して設けられる。
【００３５】
さらに、第１プレート２３ａは、複数（例えば５つ）のＬＥＤ光源Ｌ１〜Ｌ５を備えている。複数のＬＥＤ光源Ｌ１〜Ｌ５は、不図示の電源手段に接続され、意匠ボックス２２内において下側に光を照射するものである。また、第２プレート２３ｂは、（例えば１つ）のＬＥＤ光源Ｌ６を備えている。このＬＥＤ光源Ｌ６は、不図示の電源手段に接続され、意匠ボックス２２内において上側に光を照射するものである。
【００３６】
再度図１を参照する。複数の仏具３０は、彫刻仏具３１と、香炉３２と、茶湯器３３と、仏飯器３４と、下プレート３５とを有している。彫刻仏具３１は、透明樹脂製（クリスタル製）の柱材（立体物）の内部に仏像彫刻が施されたものである。図３は、彫刻仏具３１の一例を示す斜視図である。図３に示すように、彫刻仏具３１は、四角柱の上部に断面半円形状の部材が乗った柱状に構成された本体３１ａと、本体３１ａの奥行中間位置にレーザ照射によって仏像が彫刻された彫刻部３１ｂとを備えている。なお、本実施形態において彫刻部３１ｂは、本体３１ａの内部に彫刻されているが、これに限らず、本体３１ａの表面に彫刻されていてもよい。また、彫刻部３１ｂは、仏像に限らず、文字等であってもよい。
【００３７】
さらに、彫刻仏具３１は、背面が黒色系塗料３１ｃ（透明以外の塗料の一例）で着色されている。これにより、前方から彫刻部３１ｂが視認し易いようになっている。ここで、黒色系は、例えば明度がマンセル値で７．０以下を示している。なお、彫刻仏具３１は、背面が黒色系塗料３１ｃで着色されている場合に限らず、背面に黒色系の紙や樹脂などの部材（透明以外の部材の一例）が貼付け又は配置されていてもよい。
【００３８】
また、彫刻仏具３１は、第２プレート２３ｂのＬＥＤ光源Ｌ６上に載置される。これにより、彫刻部３１ｂをより鮮明に、且つ、神々しく見せるようにすることができる。同様に、第１プレート２３ａのＬＥＤ光源Ｌ１〜Ｌ５についても、彫刻仏具３１を照らすこととなり、彫刻部３１ｂをより鮮明に、且つ、神々しく見せるようにすることができる。なお、これらのＬＥＤ光源Ｌ１〜Ｌ６は、奥側に位置する内ボックス２１内の花や写真などについても正面から見え易くする効果もある。
【００３９】
再度図１を参照する。香炉３２は、香炉灰が入れられる容器である。また、香炉３２は、火が付けられた線香が香炉灰に差し込まれるなどして、線香を支えるための容器ともなる。茶湯器３３及び仏飯器３４は、お供えされるご飯や茶湯を入れる器であって、飲食供養に必要な供養具である。下プレート３５は、茶湯器３３及び仏飯器３４の下側に設けられる台座となるものである。なお、本実施形態では、これらの香炉３２、茶湯器３３、仏飯器３４、及び下プレート３５についても透明樹脂製（クリスタル製）のもので構成されている。
【００４０】
次に、本実施形態に係る仏棚１の収納形態を説明する。まず、台座１０の上面（下面）は箱体２０の背面と大きさ（形状及び面積）が略一致している。このため、仏棚１を収納する場合には、まず複数の仏具３０及び容器Ｃを引き出し１１内に収納し、引き出し１１を閉じる。また、スライド板１２が飛び出している場合には、これも収納する。次いで、箱体２０の背面側が下側に向くように、台座１０の上面に載置する。
【００４１】
図４は、図１に示した仏棚１の収納形態を示す斜視図である。上記したように、台座１０の上面１０ａに箱体２０が載置されると、台座１０の上面１０ａ（下面）と箱体２０の背面との大きさが略一致していることから、１つの四角柱のようになり、台座１０と箱体２０の一方が他方よりも側方に飛び出さないようにできる。これにより、収納性に優れることとなる。
【００４２】
特に台座１０上に箱体２０が重ねられた収納形態において、箱体２０の上からは布材４０が掛けられる。この布材４０は例えば西陣織などの高級布である。このような布材４０を掛けることで、一見すると供養行為の対象である物と分からないようにすることもできる。
【００４３】
このようにして、本実施形態に係る仏棚１によれば、台座１０と箱体２０とからなるため、基本的に仏壇とは異なるものを提供でき、宗教上の理由から骨を収容した容器Ｃを安置できないという問題が生じない。加えて、仏棚１を提供することで供養行為の対象を明確化することができる。さらに、本件出願人は、花が酸化によって退色・劣化することを見出している。このため、花を収納した箱体２０（内ボックス２１）が脱酸素剤及び不活性ガスを封入のうえ封止されていることにより、花を比較的長期に亘り劣化させずに管理の手間を軽減させることができる。以上より、骨を収容した容器Ｃを安置して供養行為の対象とできると共に花の管理の手間を軽減できる仏棚を提供する。
【００４４】
また、仏壇には基本的に遺影などの写真を置くことは無いが（宗教にもよるが写真を置く場合は通常仏壇の手前外側である）、箱体２０（内ボックス２１）が写真を収納する場合には、仏壇とはより違った供養行為の対象物としての仏棚１を提供することができる。
【００４５】
また、透明樹脂からなる本体３１ａの表面又は内部に彫刻された彫刻仏具３１は、背面が黒色系塗料３１ｃで着色され、又は背面に黒色系部材が設けられているため、透明樹脂への彫刻という一見すると彫刻部３１ｂが見え難い彫刻仏具３１であっても、背面の黒色系着色や黒色系部材によって彫刻内容を見え易くすることができる。
【００４６】
また、台座１０は、下部が容器Ｃ及び彫刻仏具３１を収納する引き出し１１となっているため、供養行為を行うときに容器Ｃと彫刻仏具３１とを取り出して、台座１０に載置するなどでき、収納性に優れた仏棚１を提供することができる。
【００４７】
また、上面１０ａと引き出し１１との間から、引き出し可能なスライド板１２をさらに有するため、容器Ｃ及び彫刻仏具３１以外の香炉３２、茶湯器３３、及び仏飯器３４などの仏具３０を載置したい場合に、スライド板１２上に載置することも可能となり、より一層供養行為の対象として適した仏棚１を提供することができる。
【００４８】
また、台座１０は、箱状であって、その上面１０ａの大きさが箱体２０の背面の大きさと略一致するため、大きさが一致する面同士を重ねて置くことではみ出しが少なく重ね置くことが可能となり、収納に適した構造とすることができる。
【００４９】
以上、実施形態に基づき本考案を説明したが、本考案は上記実施形態に限られるものではなく、本考案の趣旨を逸脱しない範囲で、変更を加えてもよい。
【００５０】
本実施形態において内ボックス２１には、上記したものに限らず、例えば掛軸等を収納していてもよいし、彫刻仏具３１を収納していてもよい。また、内ボックス２１は花を収納していれば、写真等が収納されていなくともよい。また、引き出し１１やスライド板１２を備えないシンプル構成にしてもよく、仏具３０についても一部又は全部を備えないシンプル構成であってもよい。さらに、容器Ｃに収容される骨が、人間のものに限らず、ペットなどの動物のものであってもよい。
【００５１】
また、上記実施形態においては彫刻仏具３１の背面が黒色系塗料３１ｃで着色されているが、特に黒色系塗料３１ｃに限らず、例えば薄い青や紫系の塗料で着色されていてもよいし、更には透明以外であれば他の色の塗料で着色されていてもよい。また、塗料に限らず、彫刻仏具３１の背面に部材を設ける場合も同様に、黒色系に限らず、薄い青や紫系の部材であってもよいし、更には透明以外であれば他の色の部材であってもよい。
【００５２】
加えて、上記仏棚１は、上記構成に加えて、音声再生機を備えていてもよい。音声再生機は、例えば内ボックス２１内に花と共に収納されてもよいし、台座１０や箱体２０の背面側に取り付けられていてもよいし、引き出し１１内に収納されていてもよい。この音声再生機は、例えば故人の歌、故人が好きだった音楽、故人の声などのデータを転送及び再生可能に構成されている。音声再生機は、本体に設けられるスイッチや、リモコン操作によって音声再生可能となっていてもよいし、ＬＥＤ点灯、引き出し１１の引き出し操作、及びスライド板１２の引き出し操作などによって連動して音声再生されるようになっていてもよい。これにより、仏壇には無い故人を偲ぶ演出が可能となるからである。
【符号の説明】
【００５３】
１      ：仏棚
１０    ：台座
１０ａ  ：上面
１１    ：引き出し
１１ａ  ：手前空間
１１ｂ  ：奥側空間
１２    ：スライド板
２０    ：箱体
２１    ：内ボックス
２１ａ  ：樹脂材料
２２    ：意匠ボックス
２３    ：照明プレート
２３ａ  ：第１プレート
２３ｂ  ：第２プレート
３０    ：仏具
３１    ：彫刻仏具
３１ａ  ：本体
３１ｂ  ：彫刻部
３１ｃ  ：黒色系塗料
３２    ：香炉
３３    ：茶湯器
３４    ：仏飯器
３５    ：下プレート
４０    ：布材
Ｂ      ：中板
Ｃ      ：容器
Ｌ１〜Ｌ６    ：ＬＥＤ光源
Ｐ      ：写真
【図１】
0003212116.tif 000003
【図２】
0003212116.tif 000004
【図３】
0003212116.tif 000005
【図４】
0003212116.tif 000006